(57)【特許請求の範囲】
【請求項１】
物品収容部の前面に前面板を設けた引出しに、前記物品収容部が前方に引出し可能として収容される筐体と係合することにより、引出しの前方への移動を阻止するようにしたラッチ機構と、引出しの前方からの操作により、前記ラッチ機構と筐体との係合を解除させる操作装置とを設けた引出し装置において、
前記前面板を、物品収容部の前面に設けた裏面板と、この裏面板の前面を覆う表面板とをもって構成するとともに、前記表面板を、前記操作装置が装着され、かつ前記裏面板の前面における上下いずれかの部分を覆う第１表面板と、裏面板の前面における第１表面板以外の部分を覆う第２表面板とをもって構成し、前記第１表面板の前面における第２表面板に隣接する縁部に、前方と第２表面板側とに開放する開口を設け、この開口に連通する第１表面板の内部空間に、操作装置における操作部を設け、さらに、第２表面板における第１表面板に隣接する縁部に、第１表面板の内部空間に進入し、操作装置の操作用の空間を区画する壁面の一部を形成するとともに、前記内部空間への操作者の手の指の挿入を案内する案内片を設けたことを特徴とする引出し装置。
【請求項２】
第１表面板の左右方向の幅と第２表面板の左右方向の幅とを同一とし、かつ第１表面板の前面と第２表面板の前面とを同一面とした請求項１記載の引出し装置。
【請求項３】
案内片の先端部と、それに対向する第１表面板の一部とに、第２表面板と第１表面板との結合手段を設けた請求項１または２記載の引出し装置。
【請求項４】
物品収容部の前面に前面板を設けた引出しに、前記物品収容部が前方に引出し可能として収容される筐体と係合することにより、引出しの前方への移動を阻止するようにしたラッチ機構と、引出しの前方からの操作により、前記ラッチ機構と筐体との係合を解除させる操作装置とを設けた引出し装置において、
前記前面板を、物品収容部の前面に設けた裏面板と、この裏面板の前面を覆う表面板とをもって構成するとともに、前記表面板を、前記操作装置が装着され、かつ前記裏面板の前面における上下いずれかの部分を覆う第１表面板と、裏面板の前面における第１表面板以外の部分を覆う第２表面板とをもって構成し、前記操作装置が、第１表面板に軸受された左右方向を向く操作軸と、この操作軸と一体となって回動するとともに、第１表面板の前方より操作される操作部を有する引き手とを備えるものとし、前記操作軸に、裏面板を貫通して後方に突出し、かつ後端部が筐体に係脱するようにしたラッチ機構におけるラッチレバーの前端部を固嵌したことを特徴とする引出し装置。
【請求項５】
引き手の操作部の左右方向の幅を、前面板の左右方向の幅とほぼ同一とした請求項４記載の引出し装置。
【発明の詳細な説明】
【技術分野】
【０００１】
本発明は、机やキャビネット等における引出し装置に関する。
【背景技術】
【０００２】
従来の机やキャビネット等の引出し付什器における引出しには、それが、前方に引出し可能として収容されている筐体と係合することにより、引出しの前方への移動を阻止し、引出しが振動等により、意図せずに開くのを防止するようにしたラッチ機構と、引出しの前面より操作可能とした操作装置と、この操作装置と前記ラッチ機構とを、操作装置の操作により、ラッチ機構と筐体との係合を解除させうるように連係する連係手段とが設けられている(例えば特許文献１〜３参照)。
【０００３】
この種の従来の引出し装置の前面板は、表面板と裏面板とにより、中空の二重壁構造とし、その表面板に操作用の開口を、裏面板にラッチ機構を設け、かつ二重壁の中空部に、上記開口を通して操作されるようにした操作装置と連係手段とを設けているのが一般的である。
【０００４】
また、表面板に操作用の開口を設けることなく、操作装置の操作部を、前面板の上方に突出するように設け、かつその操作部の左右方向の幅を、前面板の左右方向の幅とほぼ同一としたものもある(例えば特許文献４および５参照)。
【特許文献１】特開２００３−２３９６０５号公報
【特許文献２】特開２００３−１８０４６６号公報
【特許文献３】特開平９−２５６７１２号公報
【特許文献４】特開２００７−１３５８３５号公報
【特許文献５】特開２００４−８９４２０号公報
【発明の開示】
【発明が解決しようとする課題】
【０００５】
しかし、上述のような従来の引出し装置においては、表面板と裏面板との間の中空部に、操作装置と連係手段とラッチ機構とを設けなければならず、しかも、表面板と裏面板とを接合した後に、中空部に部品を挿入することは困難であるので、その組付作業が面倒である。
例えば、操作装置を裏面板に取り付けた場合には、操作装置と表面板に設けた操作用の開口との位置決めが面倒になり、また、操作装置を表面板に取り付けた場合には、操作装置と連係手段との位置決めや連係が面倒になる。
【０００６】
特に、特許文献４および５におけるように、操作装置の操作部の左右方向の幅を、前面板の左右方向の幅とほぼ同一としたものにおいては、操作装置によって、ラッチ機構と連係手段との収容スペースが著しく制限されるため、それらの部品を小型化することが余儀なくされ、組付作業がさらに面倒になっている。
【０００７】
本発明は、従来の技術が有する上記のような問題点に鑑み、組付作業性を向上させうるとともに、上下寸法の異なる多品種の製品間における部品の共通化を図ることができるようにした、簡単な構造の引出し装置を提供することを目的としている。
【課題を解決するための手段】
【０００８】
本発明によると、上記課題は、次のようにして解決される。
(１)  物品収容部の前面に前面板を設けた引出しに、前記物品収容部が前方に引出し可能として収容される筐体と係合することにより、引出しの前方への移動を阻止するようにしたラッチ機構と、引出しの前方からの操作により、前記ラッチ機構と筐体との係合を解除させる操作装置とを設けた引出し装置において、前記前面板を、物品収容部の前面に設けた裏面板と、この裏面板の前面を覆う表面板とをもって構成するとともに、前記表面板を、前記操作装置が装着され、かつ前記裏面板の前面における上下いずれかの部分を覆う第１表面板と、裏面板の前面における第１表面板以外の部分を覆う第２表面板とをもって構成し、前記第１表面板の前面における第２表面板に隣接する縁部に、前方と第２表面板側とに開放する開口を設け、この開口に連通する第１表面板の内部空間に、操作装置における操作部を設け、さらに、第２表面板における第１表面板に隣接する縁部に、第１表面板の内部空間に進入し、操作装置の操作用の空間を区画する壁面の一部を形成するとともに、前記内部空間への操作者の手の指の挿入を案内する案内片を設ける。
【０００９】
このような構成とすると、操作装置を装着する第１表面板と、裏面板の前面における第１表面板によって覆われる部分以外の部分を覆う第２表面板とを、別部材で構成してあるので、第１表面板に操作装置を取付けた状態で、第１表面板を裏面板に取付けるだけで、操作装置を、簡単に引出しに取付けることができ、その後に、第２表面板を裏面板に取付けることにより、組付作業性を向上させることができる。
第１表面板と操作装置とラッチ機構とを、すべて共通として、裏面板と第２表面板との上下寸法を異ならせるだけで、上下寸法の異なる多品種の製品を容易に製造することができる。
第１表面板に隣接する第２表面板の縁を利用して、第１表面板に、操作装置を操作するための開口を簡単に形成することができる。
第２表面板における第１表面板に隣接する縁部に設けた案内片により、第１表面板に設けた開口に挿入した操作者の手の指を、安全に、操作装置の操作部に向けて案内することができ、第２表面板の縁と第１表面板の開口との協働作用により、操作装置を操作するため操作用の空間を簡単に形成することができる。
【００１０】
(２)  上記(１)項において、第１表面板の左右方向の幅と第２表面板の左右方向の幅とを同一とし、かつ第１表面板の前面と第２表面板の前面とを同一面とする。
【００１１】
このような構成とすると、第１表面板と第２表面板とのデザインの統一を図り、美麗な外観の前面板を形成することができる。
【００１２】
(３)  上記(１)または(２)項において、案内片の先端部と、それに対向する第１表面板の一部とに、第２表面板と第１表面板との結合手段を設ける。
【００１３】
このような構成とすると、案内片を利用して、第１表面板と第２表面板とを、結合手段が外部に露呈することなく、美麗に結合することができる。    
【００１４】
(４)  物品収容部の前面に前面板を設けた引出しに、前記物品収容部が前方に引出し可能として収容される筐体と係合することにより、引出しの前方への移動を阻止するようにしたラッチ機構と、引出しの前方からの操作により、前記ラッチ機構と筐体との係合を解除させる操作装置とを設けた引出し装置において、
前記前面板を、物品収容部の前面に設けた裏面板と、この裏面板の前面を覆う表面板とをもって構成するとともに、前記表面板を、前記操作装置が装着され、かつ前記裏面板の前面における上下いずれかの部分を覆う第１表面板と、裏面板の前面における第１表面板以外の部分を覆う第２表面板とをもって構成し、前記操作装置が、第１表面板に軸受された左右方向を向く操作軸と、この操作軸と一体となって回動するとともに、第１表面板の前方より操作される操作部を有する引き手とを備えるものとし、前記操作軸に、裏面板を貫通して後方に突出し、かつ後端部が筐体に係脱するようにしたラッチ機構におけるラッチレバーの前端部を固嵌する。
【００１５】
このような構成とすると、操作装置を装着する第１表面板と、裏面板の前面における第１表面板によって覆われる部分以外の部分を覆う第２表面板とを、別部材で構成してあるので、第１表面板に操作装置を取付けた状態で、第１表面板を裏面板に取付けるだけで、操作装置を、簡単に引出しに取付けることができ、その後に、第２表面板を裏面板に取付けることにより、組付作業性を向上させることができる。
第１表面板と操作装置とラッチ機構とを、すべて共通として、裏面板と第２表面板との上下寸法を異ならせるだけで、上下寸法の異なる多品種の製品を容易に製造することができる。
操作装置とラッチ機構との構造を簡素化することができるとともに、操作装置とラッチ機構との各構成部材を、一体として、第１表面板に容易に組み付けることができる。
【００１６】
(５)  上記(４)項において、引き手の操作部の左右方向の幅を、前面板の左右方向の幅とほぼ同一とする。
【００１７】
このような構成とすると、引き手の操作部における左右方向のどのような部分を操作しても、ラッチ機構を解除して、引出しを引き出すことができ、操作性をよくすることができる。
【発明の効果】
【００１８】
本発明によると、組付作業性を向上させ、かつ上下寸法の異なる多品種の製品間における部品の共通化を図ることができるようにした、簡単な構造の引出し装置を提供することができる。
【発明を実施するための最良の形態】
【００１９】
以下、本発明の実施形態を、添付図面を参照して説明する。  
図１は、本発明の第１の実施形態を備えるキャビネットの正面図、図２は、引出しの右上部の一部切欠拡大正面図、図３は、図２のIII−III線縦断側面図、図４は、図２のIV−IV線縦断側面図、図５は、図２のV−V線縦断側面図、図６は、図２のVI−VI線縦断側面図、図７は、第１表面板と操作装置との組付状態を示す平面図、図８は、図２のVIII−VIII線横断平面図である。なお、左右は、図１および図２に関して言うものとする。
【００２０】
このキャビネットは、前面が開口する筐体１を備えており、この筐体１内には、上下に並ぶ３個の引出し２が、互いに独立して、前方に引出し可能として装着されている。
なお、３個の引出し２は、上段のものだけに施錠装置３が設けられていることを除いては、互いに同一構造であるので、以下の説明においては、上段の引出し２のみについて説明する。
また、施錠装置３および各引出し２の支持構造は、本発明に直接関係しないので、詳細な説明は省略する。
【００２１】
引出し２は、上面が開口する箱状の物品収容部４の前面に、内部が中空の前面板５を設けたものよりなり、少なくとも物品収容部４が、筐体１内に挿入されるようになっている。
【００２２】
前面板５は、物品収容部４の前面に設けた裏面板６と、この裏面板６の前面における上部(下部とすることもある)を覆う第１表面板７と、裏面板６の前面における第１表面板７以外の部分を覆う第２表面板８とをもって構成されている。
【００２３】
第１表面板７の左右方向の幅と、第２表面板８の左右方向の幅とは同一とし、第１表面板７の前面と、第２表面板８の前面とは同一面とし、第１表面板７の上下幅は、第２表面板８の上下幅よりも小としてある。
【００２４】
第１表面板７には、引出し２の前面より操作可能とした操作装置９が設けられ、裏面板６には、筐体１と係合することにより、引出し２の前方への移動を阻止するようにしたラッチ機構１０と、操作装置９とラッチ機構１０とを、操作装置９の操作により、ラッチ機構１０と筐体１との係合を解除させうるように連係する連係手段１１とが設けられている。
次に、それらの詳細について説明する。
【００２５】
第１表面板７は、図３に示すように、やや厚肉の後片１２と上片１３と前片１４と両側片１５、１５とを備える、下面が開放する合成樹脂製の下向きの中空箱状体からなり、前片１４の下方と両側片１５、１５の前部とには、前方と下方と両側方とに開放する開口１６が設けられており、この開口１６を通して、引出しの前方より、第１表面板７の内部空間に指を挿入して、その内部空間に配設した操作装置９の操作部を操作しうるようになっている。
なお、両側片１５、１５には、開口１６を設けないこともある。
【００２６】
図７に示すように、第１表面板７における後片１２の後面には、複数の軸受片１７が、後方に向かって突設されており、これらの軸受片１７により、六角軸とした左右方向を向く操作軸１８が、回動自在に枢支されている。
【００２７】
第１表面板７の内部空間の上部には、左右方向の幅を前面板５の左右方向の幅とほぼ同一とした(実際には、それよりわずかに短くした)引き手１９の操作部１９ａが配設され、その後縁より後方に向けて突設されたほぼ水平の複数の突部１９ｂは、後片１２に設けた複数の開口２０(図５参照)を通って、後片１２より後方に突出し、各突部１９ｂに設けた左右方向を向く六角孔２１を操作軸１８に嵌合することにより、引き手１９は、操作軸１８と一体となって回動しうるようになっている。
【００２８】
右端の軸受片１７より右方に突出する操作軸１８の右端部には、回動レバー２２の上端部に設けた左右方向を向く六角孔２３が固嵌され、回動レバー２２は、操作軸１８および引き手１９と一体となって回動しうるようになっている。
回動レバー２２は、操作軸１８より垂下した後、第１表面板７における後片１２の下方を通って、後片１２より前方に延出し、引き手１９の操作部１９ａが、図３に示す状態から前上方に回動させられることにより、下端部で、後述するラッチ軸３０の上端部を左方に向けて折曲したアーム部３０ａを前方に押動し、ラッチレバー３３を解除方向に回動させるようになっている。
【００２９】
第１表面板７における後片１２の後面適所には、後方に向かって突出する左右１対のボス２４、２４が設けられている。
【００３０】
裏面板６は、垂直の基片２５の上縁および両側縁に、前方を向く上片２６および両側片２７、２７を折曲形成したものよりなり、上片２６の前縁には、上向き鉤形の複数の係止片２８が設けられている。
【００３１】
この係止片２８を、第１表面板７の後片１２における上記開口２０に後方より嵌合して、開口２０の上縁に係止し、かつ第１表面板７の左右のボス２４、２４の後端を、裏面板６における基片２５の前面に当接して、基片２５の後方より、タッピングねじ２９を、基片２５を貫通させて、各ボス２４の後端よりねじ込むことにより、第１表面板７は、裏面板６の上部前面に取付けられている。
【００３２】
裏面板６における基片２５の前面右側端部には、上下方向を向くラッチ軸３０が、上下１対の軸受部材３１、３２をもって枢支されている。
上述したように、ラッチ軸３０の上端部には、左方を向くアーム部３０ａが折曲形成されている。
【００３３】
下方の軸受部材３２は、正面視方形枠状をなし、その内部には、ラッチ軸３０に固嵌された後方を向くラッチレバー３３の前端部が配設されている。
ラッチレバー３３は、裏面板６における基片２５に設けられた窓孔３４を通って後方に突出し、図８に示すように、後端部に設けた左右方向を向く係合孔３５が、筐体１の側板３６の内面に設けた平面視直角三角形の係合突起３７と係合することにより、閉止位置に位置している引出し２の前方への移動を阻止するようになっている。
【００３４】
下方の軸受部材３２の上方において、ラッチ軸３０のまわりには、ラッチレバー３３を、図８に示すように、窓孔３４の外側縁に当接して停止する係止位置に向かって付勢するねじりコイルばね３８が設けられている。
【００３５】
このねじりコイルばね３８の付勢力に抗して、引き手１９を前上方に回動させ、そのときの回動レバー２２の下端部で、ラッチ軸３０の上端部のアーム部３０ａとともに、ラッチレバー３３を、図８に矢印で示す解除方向に回動させることにより、ラッチレバー３３の係合孔３５を、係合突起３７から離脱させて、ラッチ解除させることにより、引出し２を、閉止位置から自由に前方に引き出すことができる。
【００３６】
上記構成のうち、操作軸１８と引き手１９と回動レバー２２とにより、操作装置９が形成され、ラッチレバー３３と係合突起３７とねじりコイルばね３８とにより、ラッチ機構１０が形成され、また上端にアーム部３０ａを有するラッチ軸３０により、操作装置９とラッチ機構１０とを連係する連係手段１１が形成され、そのうちの操作装置９は第１表面板７に、またラッチ機構１０と連係手段１１とは裏面板６に、それぞれユニット化して取付けられている。
【００３７】
第２表面板８の両側縁には、後方を向く側片３９、３９が連設され、また同じく上縁には、第１表面板７の内部空間に進入し、操作装置９の操作用の空間を区画する壁面の一部を形成するとともに、上記内部空間への操作者の手の指の挿入を案内する案内片４０が設けられている。
【００３８】
この案内片４０は、第２表面板８の上縁より後上方に傾斜状態で延出した後、上方に向かってなだらかに湾曲し、かつ上端部が第１表面板７における後片１２の前面に当接し、その上端に設けた後方を向く上向き鉤形の複数の係止片４１が、第１表面板７における後片１２に設けた複数の係合孔４２に前方より嵌合して、係合孔４２の上縁に係止されている。
【００３９】
この係止片４１と係合孔４２とにより、第２表面板８と第１表面板７との結合手段が形成されている。
第２表面板８は、上述のように複数の係止片４１を係合孔４２の上縁に係止させ、かつ両側片３９、３９で、第１表面板７における両側片１５、１５の下端部外側面と、裏面板６における両側片２７、２７の外側面を覆うようにして、下端より後方に向けて折曲形成した底片(図示略)を、裏面板６の下端に重合させて、ねじ止め(図示略)することにより、第１表面板７と裏面板６とに取付けられている。
【００４０】
この第２表面板８には、上述のような操作装置９やラッチ機構１０等の機能部品を取付けることが全くないので、この部材の上下寸法を変更しても、機能部品の組付作業性には全く影響することがない。
【００４１】
したがって、この実施形態のような構成とすると、裏面板６にラッチ機構１０と連係手段１１とを取付け、かつ第１表面板７に操作装置９をユニット化して取付けた状態で、第１表面板７を裏面板６に取付けるだけで、操作装置９とラッチ機構１０と連係手段１１とを、簡単に引出し２に取付けることができ、その後に、第２表面板８を裏面板６に取付けることにより、組付作業性を向上させることができる。
また、第１表面板７と操作装置９とラッチ機構１０と連係手段１１とを、すべて共通として、裏面板６と第２表面板８との上下寸法を異ならせるだけで、上下寸法の異なる多品種の製品を容易に製造することができる。
【００４２】
図９は、本発明の第２の実施形態を備えるキャビネットにおける図４と同様の部分の縦断側面図、図１０は、同じく、図７と同様の、第１表面板と操作装置との組付状態を示す平面図である。なお、第１の実施形態におけるのと同一または類似の部材には、同一の符号を付して図示するに止め、それらについての詳細な説明は省略する。
【００４３】
図９に示す引出し２は、最上段のもの(図１参照)で、その操作装置９における操作軸１８の右端部には、第１の実施形態における回動レバー２２に代えて、ラッチ機構５１におけるラッチレバー５２の前端部に設けた左右方向の筒体５３の六角孔５４が固嵌されている。
【００４４】
ラッチレバー５２は、裏面板６における基片２５の上部に設けた窓孔５５を通って、筒体５３より裏面板６の後方に突出し、後端に設けた上向きのフック部５２ａが、筐体１における天板１ａの下面前部に設けた左右方向を向く凹溝５６の前縁に係脱しうるようになっている。
【００４５】
すなわち、ラッチレバー５２は、引き手１９が、図９に実線で示す位置に位置しているときは、フック部５２ａが凹溝５６の前縁に係合する係止位置に位置しており、図９に２点鎖線で示すように、引き手１９を前上方に回動させると、フック部５２ａが凹溝５６の前縁から下方に離脱する解除位置へ回動させられるようになっている。
【００４６】
なお、天板１ａの下面前部に、凹溝５６に代えて、下向き突条(図示略)を設け、この下端後縁に、ラッチレバー５２のフック部５２ａが係脱するようにしてもよい。
また、上から２段目以下の引出し２においては、ラッチレバー５２のフック部５２ａは、筐体１内を上下に仕切る仕切板(図示略)の下面前部に設けた凹溝５６と同様の凹溝の前縁、またはそれに代わる下向き突条の下端後縁に係脱しうるようにすればよい。
【００４７】
筒体５３の外周には、前上方に向かって突出し、ラッチレバー５２が係止位置に位置しているとき、先端が第１表面板７における後片１２の後面に当接し、ラッチレバー５２の係止位置から上方への回動を阻止する停止片５７と、前下方に向かって突出し、先端が後片１２の後面に圧接することにより、ラッチレバー５２を図９における反時計回りに付勢する板ばね状の弾性舌片５８とが、一体的に設けられている。
【００４８】
この第２の実施形態のような構成とすると、第１の実施形態における回動レバー２２、ラッチ機構１０、連係手段１１等の複雑な構成をすべて省略し、操作装置９における操作軸１８の一端に、ラッチレバー５２を設けるだけの簡単な構造で、第１の実施形態におけるのと同様の作用及び効果を奏することができる。
【００４９】
本発明は、上記実施形態に限定されるもではない。
例えば、第１表面板７を、上述のものと上下逆向きとして、裏面板６の前面下部に取付け、その上方における裏面板６の前面に、第２表面板８を上下逆向きとして取付け、さらに、操作装置９とラッチ機構１０と連係手段１１等も上下逆向きとして取付け、物品収容部４のみを、上記のものと同一の向きとして実施することもできる。
【００５０】
また上記実施形態においては、ラッチ機構１０と連係手段１１、およびラッチレバー５２を、引出し２の右側部にしか設けていないが、引出し２の左右方向の幅が大であるときは、それらを、引出し２の左側部にも、上述のものと左右対称に設けて実施することもある。
【図面の簡単な説明】
【００５１】
【図１】本発明の第１の実施形態を備えるキャビネットの正面図である。
【図２】前方から見た引出しの右上部の一部切欠拡大正面図である。
【図３】図２のIII−III線縦断側面図である。
【図４】図２のIV−IV線縦断側面図である。
【図５】図２のV−V線縦断側面図である。
【図６】図２のVI−VI線縦断側面図である。
【図７】第１表面板と操作装置との組付状態を示す平面図である。
【図８】図２のVIII−VIII線横断平面図である。
【図９】本発明の第２の実施形態を備えるキャビネットにおける図４と同様の部分の縦断側面図である。
【図１０】同じく、第１表面板と操作装置との組付状態を示す、図７と同様の平面図である。
【符号の説明】
【００５２】
１  筐体
１ａ天板
２  引出し
３  施錠装置
４  物品収容部
５  前面板
６   裏面板
７  第１表面板
８  第２表面板
９  操作装置
１０  ラッチ機構
１１  連係手段
１２  後片
１３  上片
１４  前片
１５  側片
１６  開口
１７  軸受片
１８  操作軸
１９  引き手
１９ａ操作部
１９ｂ突部
２０  開口
２１  六角孔
２２  回動レバー
２３  六角孔
２４  ボス
２５  基片
２６  上片
２７  側片
２８  係止片
２９  タッピングねじ
３０  ラッチ軸
３０ａアーム部
３１、３２  軸受部材
３３  ラッチレバー
３４  窓孔
３５  係合孔
３６  側板
３７  係合突起
３８  ねじりコイルばね
３９  側片
４０  案内片
４１  係止片
４２  係合孔
５１  ラッチ機構
５２  ラッチレバー
５２ａフック部
５３  筒体
５４  六角孔
５５  窓孔
５６  凹溝
５７  停止片
５８  弾性舌片
【図１】
0005280744.tif 000002
【図２】
0005280744.tif 000003
【図３】
0005280744.tif 000004
【図４】
0005280744.tif 000005
【図５】
0005280744.tif 000006
【図６】
0005280744.tif 000007
【図７】
0005280744.tif 000008
【図８】
0005280744.tif 000009
【図９】
0005280744.tif 000010
【図１０】
0005280744.tif 000011